(57)【要約】【課題】個人が、多数のコンテンツの中から自分が欲しいと考えるコンテンツだけを収録したオリジナルメディアソフトであってデザイン面でも満足のいくものを、手間をかけることなく入手できるようにする。【解決手段】複数の主体から提供されるコンテンツの中からコンテンツを選択させるとともにデザインを選択させるＷｅｂページをサーバー２で提供し、ユーザー端末２２によってこのＷｅｂページで選択されたコンテンツを、そのコンテンツの提供主体側のサーバー１２（１）〜１２（ｎ）からコンピュータ３でダウンロードして記録手段４で記録メディアに記録するとともに、ユーザー端末２２によってこのＷｅｂページで選択されたデザインを印刷手段４でその記録メディアに印刷することにより、ユーザーの注文に応じたオリジナルメディアソフトを作成する。【選択図】　　　　　　図１
2004109501.tif 000002
【特許請求の範囲】
【請求項１】
ユーザーの注文に応じてオリジナルなメディアソフトを作成するサービスのシステムにおいて、
互いに異なる主体から提供される複数のコンテンツの中からコンテンツを選択させるとともに、複数のデザインの中からデザインを選択させるためのＷｅｂページを提供するサーバーと、
前記Ｗｅｂページでの選択結果を示すユーザー端末からの情報に基づき、前記Ｗｅｂページで選択されたコンテンツを、該コンテンツを提供する主体側のサーバーからダウンロードするコンピュータと、
前記コンピュータでダウンロードされたコンテンツを記録メディアに記録する記録手段と、
前記情報に基づき、前記Ｗｅｂページで選択されたデザインを、前記記録手段でコンテンツが記録される記録メディアの表面及び／または該記録メディアに付する用紙に印刷する印刷手段と
を備えたことを特徴とするオリジナルメディアソフト作成サービスシステム。
【請求項２】
請求項１に記載のオリジナルメディアソフト作成サービスシステムにおいて、
前記Ｗｅｂページで、将来提供されるコンテンツの中からも所定の条件でコンテンツを選択させることを特徴とするオリジナルメディアソフト作成サービスシステム。
【請求項３】
請求項１に記載のオリジナルメディアソフト作成サービスシステムにおいて、
選択されたコンテンツを記録した記録メディアの空き領域に所定のデータを記録することの諾否をも前記Ｗｅｂページで選択させ、
前記Ｗｅｂページで前記空き領域への記録が承諾されたことに基づき、前記記録手段で、前記空き領域に前記所定のデータを記録することを特徴とするオリジナルメディアソフト作成サービスシステム。
【請求項４】
請求項３に記載のオリジナルメディアソフト作成サービスシステムにおいて、
前記所定のデータは、コンテンツを提供する主体側のサーバーからダウンロードした広告用のデータを含むことを特徴とするオリジナルメディアソフト作成サービスシステム。
【請求項５】
請求項３に記載のオリジナルメディアソフト作成サービスシステムにおいて、
前記所定のデータは、当たり付きのくじ及び／または抽選番号のデータを含むことを特徴とするオリジナルメディアソフト作成サービスシステム。
【請求項６】
請求項１に記載のオリジナルメディアソフト作成サービスシステムにおいて、
記録メディアに記録する音声及び／または静止画のデータをユーザー端末から受信し、
前記記録手段で、前記受信した音声及び／または静止画のデータをも記録することを特徴とするオリジナルメディアソフト作成サービスシステム。
【請求項７】
請求項１に記載のオリジナルメディアソフト作成サービスシステムにおいて、
記録メディアの表面及び／または記録メディアに付する用紙に印刷するデザインのデータをユーザー端末から受信し、
前記印刷手段で、前記受信したデザインのデータをも印刷する
ことを特徴とするオリジナルメディアソフト作成サービスシステム。
【請求項８】
ユーザーの注文に応じてオリジナルなメディアソフトを作成するサービスの方法において、
互いに異なる主体から提供される複数のコンテンツの中から１または複数のコンテンツを選択させるとともに、複数のデザインの中からデザインを選択させるためのＷｅｂページを提供する第１のステップと、
前記Ｗｅｂページでの選択結果を示すユーザー端末からの情報に基づき、前記Ｗｅｂページで選択されたコンテンツを、該コンテンツを提供する主体側のサーバーからダウンロードする第２のステップと、
前記コンピュータでダウンロードされたコンテンツを記録メディアに記録する第３のステップと、
前記情報に基づき、前記Ｗｅｂページで選択されたデザインを、前記第３のステップでコンテンツが記録される記録メディアの表面及び／または該記録メディアに付する用紙に印刷する第４のステップと
を有することを特徴とするオリジナルメディアソフト作成サービス方法。
【発明の詳細な説明】
【０００１】
【発明の属する技術分野】
本発明は、ユーザーの注文に応じてオリジナルなメディアソフトを作成するサービスのシステム及び方法に関する。
【０００２】
【従来の技術】
個人的使用あるいは家庭内での使用を目的として、自分以外の者（主に有名な個人や団体）が著作権を有する多数のコンテンツの中から自分が欲しいと考えるコンテンツだけを収録したオリジナルなメディアソフトを手に入れたいというニーズは、潜在的にかなり存在していると考えられる。
【０００３】
実際、例えば自分が好きなアーティストの楽曲のうちの特に好きな楽曲だけを収録したオリジナルメディアソフト（いわば‘マイベストアルバム’）を入手したいと考えたことのある人は多いはずである。また、個人が、次の（１）〜（４）のような一連の作業によって自分でこうしたマイベストアルバムを作成することも珍しくない。
【０００４】
（１）収録したい楽曲が入っている市販の音楽ＣＤを購入またはレンタルするか、あるいはその楽曲をインターネット経由で音楽配信サイトからパーソナルコンピュータにダウンロードする。
【０００５】
（２）音楽ＣＤを購入またはレンタルした場合には、コンポーネントシステムで音楽ＣＤから記録メディア（ＭＤ等）にその楽曲をダビングするか、あるいはパーソナルコンピュータでその楽曲をハードディスクに記録した後、ハードディスクからその楽曲を再生して記録メディア（ＣＤ−Ｒや小型メモリーカード等）に記録する。
【０００６】
他方、音楽配信サイトからダウンロードした場合には、著作権保護技術に対応したソフトウェアや機器を用いて、その楽曲をパーソナルコンピュータのハードディスクから再生して記録メディア（ＭＤや小型メモリーカード等）に記録する。
【０００７】
（３）また、音楽ＣＤ内のＴＯＣ情報や楽曲とともにダウンロードしたＴＯＣ情報（曲名やアーティスト名等の情報）もその記録メディアに書き込む。
【０００８】
（４）その記録メディアの表面（レーベル）か、あるいは記録メディアに付する用紙（記録メディアに貼り付けるインデックスシールや記録メディアの収納ケースに収納するインデックスカード等）に、所望のデザイン（メディアソフトのタイトル，収録した各楽曲の曲名・アーティスト名等の文字や、イラスト，写真等の画像）を手書きまたは印刷する。
【０００９】
【発明が解決しようとする課題】
しかし、こうした作業は個人にとってはかなり手間のかかるものである。すなわち、収録したい楽曲が入っている市販の音楽ＣＤをＣＤショップやレンタルショップやインターネット上のオンラインショッピングのサイトで探すこと（さらに、レンタルした場合にはその後返却しに行くこと）には手間がかかる。
【００１０】
音楽配信サイトから楽曲をダウンロードする場合にも、複数の楽曲を１曲１曲購入確認してダウンロードする操作には手間がかかり、また回線の通信速度によってはなかなかダウンロードが進まないことがある。特に、複数のレコード会社からリリースされている楽曲をダウンロードしたい場合に、レコード会社毎のサイトにアクセスしてダウンロードを行うことにはかなり手間がかかってしまう。
【００１１】
また、市販の音楽ＣＤに入っている楽曲やダウンロードした楽曲を記録メディアに記録する操作や、その楽曲の曲名やアーティスト名等のＴＯＣ情報をその記録メディアに書き込む操作にも手間がかかる。また、記録メディアのレーベルやインデックスシールのデザインを手書きまたは印刷するのにも手間がかかる。
【００１２】
そのため、こうした手間を厭い、マイベストアルバムの作成をあきらめてしまう人も少なくない。あるいはまた、記録メディアへの楽曲やＴＯＣ情報の書き込みは行ったものの、記録メディアのレーベルやインデックスシールのデザインのほうまでは手が回らず、その結果デザイン面では満足のいくマイベストアルバムを作成できなかった経験をもつ人も少なくない。
【００１３】
他方、レコード会社の側からみても、マイベストアルバムのニーズがあるにもかかわらずマイベストアルバムの作成があきらめられてしまうと、音楽ＣＤの売上高や音楽配信サイトでの購入金額がその分伸びなくなるので、収益を伸ばすチャンスをみすみす逃してしまうことになる。
【００１４】
本発明は、上述の点に鑑み、個人が、多数のコンテンツの中から自分が欲しいと考えるコンテンツだけを収録したオリジナルメディアソフト（マイベストアルバム等）であってデザイン面でも満足のいくものを、手間をかけることなく入手できるようにし、コンテンツの提供主体（レコード会社等）側も収益を伸ばせるようにすることを課題としてなされたものである。
【００１５】
【課題を解決するための手段】
この課題を解決するために、本出願人は、ユーザーの注文に応じてオリジナルなメディアソフトを作成するサービスのシステムにおいて、互いに異なる主体から提供される複数のコンテンツの中からコンテンツを選択させるとともに、複数のデザインの中からデザインを選択させるためのＷｅｂページを提供するサーバーと、このＷｅｂページでの選択結果を示すユーザー端末からの情報に基づき、このＷｅｂページで選択されたコンテンツを、そのコンテンツを提供する主体側のサーバーからダウンロードするコンピュータと、このコンピュータでダウンロードされたコンテンツを記録メディアに記録する記録手段と、この情報に基づき、このＷｅｂページで選択されたデザインを、この記録手段でコンテンツが記録される記録メディアの表面及び／またはその記録メディアに付する用紙に印刷する印刷手段とを備えたオリジナルメディアソフト作成サービスシステムを提案する。
【００１６】
このサービスシステムでは、このサーバーが提供するＷｅｂページでの選択結果を示す情報がユーザー端末から受信されると、その情報に基づき、このＷｅｂページで選択された１または複数のコンテンツが、それぞれそのコンテンツの提供主体（会社等）側のサーバーからダウンロードされて記録メディアに記録されるとともに、このＷｅｂページで選択されたデザインが、その記録メディアの表面やその記録メディアに付する用紙に印刷されることにより、そのユーザーの注文に応じたオリジナルメディアソフトが作成される。
【００１７】
したがって、ユーザー（個人）の側からみると、パーソナルコンピュータ等の端末のブラウザでこのＷｅｂページを閲覧し、複数の主体が提供するコンテンツの中から自分が欲しいと考えるコンテンツをそのＷｅｂページで選択するとともに自分が気に入ったデザインをそのＷｅｂページで選択すると、そのコンテンツが収録されるとともにそのデザインが付されたオリジナルメディアソフトを作成してもらえる。
【００１８】
その際、ユーザーの端末ではコンテンツそのものはダウンロードしないので、配信サイトからコンテンツそのものを１つ１つ購入確認してダウンロードする場合と異なり、操作に手間がかからないとともに、回線の通信速度にかかわらずすぐに通信が完了する。
【００１９】
また、複数の主体が提供するコンテンツを収録したい場合にも、このサービスシステムのサイトにだけアクセスすれば足り、それらの提供主体毎のサイトにアクセスする必要はない。
【００２０】
これにより、ユーザーが、多数のコンテンツの中から自分が欲しいと考えるコンテンツだけを収録したオリジナルメディアソフトであってデザイン面でも満足のいくものを、手間をかけることなく入手できるようになる。
【００２１】
そして、いままでオリジナルメディアソフトの作成をあきらめていた人がこのサービスシステムを利用してオリジナルメディアソフトを入手することにより、コンテンツの提供主体側も、提供するコンテンツの利用が促進されるので、収益を直接的あるいは間接的に伸ばすことができるようになる。
【００２２】
なお、このサービスシステムにおいて、一例として、Ｗｅｂページで、将来提供されるコンテンツの中からも所定の条件でコンテンツを選択させることも好適である。
【００２３】
それにより、ユーザーは、将来提供されるコンテンツのうちの自分が欲しいと考えるコンテンツを収録したオリジナルメディアソフトを、予約して入手することもできるようになる。
【００２４】
また、このサービスシステムにおいて、一例として、選択されたコンテンツを記録した記録メディアの空き領域に所定のデータを記録することの諾否をもこのＷｅｂページで選択させ、このＷｅｂページでこの空き領域への記録が承諾されたことに基づき、記録手段で、この空き領域にこの所定のデータを記録することも好適である。
【００２５】
それにより、オリジナルメディアソフトに、ユーザーが選択したコンテンツ以外の所定のデータを再生するためのメディアとしての役割も持たせることもできるようになる。
【００２６】
そして、この所定のデータには、例えば、コンテンツを提供する主体側のサーバーからダウンロードした広告用のデータを含めることが好適である。それにより、オリジナルメディアソフトに、コンテンツの提供主体が広告を行うためのメディアとしての役割を持たせることができるようになる。
【００２７】
あるいはまた、この所定のデータには、当たり付きのくじ及び／または抽選番号のデータを含めることも好適である。それにより、オリジナルメディアソフトに当たり付きのくじや抽選番号札としての役割を持たせることができるので、ユーザーに、オリジナルメディアソフトの入手意欲を一層高めさせることができるようになる。
【００２８】
また、このサービスシステムにおいて、一例として、記録メディアに記録する音声及び／または静止画のデータをユーザー端末から受信し、記録手段で、この受信した音声及び／または静止画のデータをも記録することも好適である。
【００２９】
それにより、コンテンツだけでなくユーザー側で用意した音声や静止画も収録したオリジナルメディアソフトが作成されるようになるので、ユーザーが、内容面で一層オリジナリティの高いオリジナルメディアソフトを入手できるようになる。
【００３０】
また、このサービスシステムにおいて、一例として、記録メディアの表面及び／または記録メディアに付する用紙に印刷するデザイン（文字や静止画等）のデータをユーザー端末から受信し、印刷手段で、この受信したデザインのデータをも印刷するようにすることが好適である。
【００３１】
それにより、ユーザー側で用意したデザインが付されたオリジナルメディアソフトも作成されるようになるので、ユーザーが、デザイン面で一層オリジナリティの高いオリジナルメディアソフトを入手できるようになる。
【００３２】
次に、本出願人は、ユーザーの注文に応じてオリジナルなメディアソフトを作成するサービスの方法において、互いに異なる主体から提供される複数のコンテンツの中から１または複数のコンテンツを選択させるとともに、複数のデザインの中からデザインを選択させるためのＷｅｂページを提供する第１のステップと、このＷｅｂページでの選択結果を示すユーザー端末からの情報に基づき、このＷｅｂページで選択されたコンテンツを、そのコンテンツを提供する主体側のサーバーからダウンロードする第２のステップと、このコンピュータでダウンロードされたコンテンツを記録メディアに記録する第３のステップと、この情報に基づき、このＷｅｂページで選択されたデザインを、この第３のステップでコンテンツが記録される記録メディアの表面及び／またはその記録メディアに付する用紙に印刷する第４のステップとを有するオリジナルメディアソフト作成サービス方法を提案する。
【００３３】
このサービス方法によれば、前述の本発明に係るサービスシステムについて説明したのと全く同様にして、ユーザーが、自分以外の者が著作権を有する多数のコンテンツの中から自分が欲しいと考えるコンテンツだけを収録したオリジナルメディアソフトであってデザイン面で満足のいくものを、手間をかけることなく入手できるようになるとともに、コンテンツの提供主体側も、収益を伸ばすことができるようになる。
【００３４】
【発明の実施の形態】
以下、ユーザーの注文に応じて、ＣＤ−Ｒを記録メディアとするマイベストアルバム（楽曲を収録したオリジナルメディアソフト）を作成する例について、図面を用いて具体的に説明する。
【００３５】
図１は、本発明を適用したマイベスト作成サービスシステムの全体構成を示す。このマイベスト作成サービスシステム１は、Ｗｅｂサーバー２，コントロールＰＣ（パーソナルコンピュータ）３及びパブリッシャ４を含んでいる。
【００３６】
Ｗｅｂサーバー２は、インターネット２１上に、マイベストアルバムの作成サービスのＷｅｂページを提供している。このＷｅｂページには、ユーザーが注文のための操作を行う欄として、次の（ａ）〜（ｆ）のような欄が設けられている。
【００３７】
（ａ）　複数のレコード会社Ｒ（１）〜Ｒ（ｎ）から現在リリースされている全ての楽曲を一覧表示させてその中から所望の１または複数の楽曲を選択したり、これらの全ての楽曲のうちアーティスト名等のキーワードの入力によって検索した楽曲だけを一覧表示させてその中から所望の１または複数の楽曲を選択したり、これらのレコード会社から将来リリースされる楽曲の中から所定の条件（毎月毎のオリコンチャートの上位何位までの楽曲とか、四半期毎のテレビドラマのテーマソングとか、毎年レコード大賞の各部門賞にノミネートされる楽曲とか）を入力して楽曲を選択したりするための楽曲選択欄。
【００３８】
（ｂ）　上記（ａ）の楽曲選択欄で選択した楽曲を収録したマイベストアルバムの空き領域に、次の（ｉ）〜（ｉｖ）のようなおまけコンテンツ（楽曲以外のデータ）を空き領域に応じて可能なだけ記録することの諾否を選択するためのおまけコンテンツ選択欄。
（ｉ）楽曲選択欄で選択した楽曲の歌詞（文字）のデータ
（ｉｉ）前述のレコード会社Ｒ（１）〜Ｒ（ｎ）の広告用のデータ（所属するアーティストの音声メッセージ，写真（静止画），新作紹介用の動画や音声のデータ等）
（ｉｉｉ　）当たり付きのくじや抽選番号のデータ（当たると次回の注文時に割引きサービスを受けられるようなもの）
（ｉｖ）楽曲以外のシリーズ化された複数のコンテンツのうちの１つのコンテンツ（シリーズ全てをコレクションしたくなるようなもの）
【００３９】
（ｃ）　楽曲とともにマイベストアルバムに記録するデータとして、ユーザーが用意した音声や静止画のデータ（ユーザー側記録データ）を送信するか否かを選択するためのユーザー側記録データ選択欄。
【００４０】
（ｄ）　ＣＤ−Ｒの表面（レーベル）のデザイン（文字やイラストや画像）が複数種類表示され、その中から気に入ったデザインを選択するためのデザイン選択欄。
【００４１】
（ｅ）　　上記（ｄ）のデザイン選択欄に表示されるデザインの代わりに、あるいはこのデザイン選択欄で選択したデザインに加えてＣＤ−Ｒのレーベルに印刷するデザインとして、ユーザーが用意した文字やイラストや画像のデータ（ユーザー側デザインデータ）を送信か否かを選択するためのユーザー側デザインデータ選択欄。
【００４２】
（ｆ）　上記（ａ）〜（ｅ）の各欄での選択結果及びその選択結果に応じた料金（選択した楽曲の数に応じて増額し、他方おまけコンテンツの記録を承諾した場合には一定金額を減額した料金）が表示され、住所・氏名・電子メールアドレス等のユーザー情報とクレジットカード情報とを入力して注文を確定し（選択結果情報，ユーザー情報及びクレジットカード情報を送信し）、また、（ｃ）のユーザー側記録データ選択欄や（ｅ）のユーザー側デザイン選択欄でユーザー側記録データやユーザー側デザインデータを送信することを選択した場合にはそれらのデータを電子メールで送信するための注文欄。
【００４３】
Ｗｅｂサーバー２には、上記（ｂ）のおまけコンテンツ選択欄で記録の諾否が選択されるおまけコンテンツのうちの上記（ｉｉｉ　）の当たり付きのくじや抽選番号のデータ及び上記（ｉｖ）のシリーズ化されたコンテンツが格納されるとともに、上記（ｄ）のデザイン選択欄に表示される複数種類のレーベルのデザインのデータが格納されている。
【００４４】
コントロールＰＣ３は、高速の専用回線１１で、コンテンツサーバー１２（１）〜１２（ｎ）にそれぞれ接続されている。コンテンツサーバー１２（１）は、前述のレコード会社Ｒ（１）側に設けられたサーバーであり、レコード会社Ｒ（１）から現在リリースされている楽曲のデータ（曲名やアーティスト名等のＴＯＣ情報を含む）が格納されている。
【００４５】
また、コンテンツサーバー１２（１）には、上記（ｂ）のおまけコンテンツ選択欄で記録の諾否が選択されるおまけコンテンツのうちの上記（ｉ）の楽曲の歌詞のデータとして、格納している楽曲の歌詞のデータが格納されるとともに、このおまけコンテンツのうちの上記（ｉｉｉ　）の広告用データとして、レコード会社Ｒ（１）に所属するアーティストの音声メッセージや写真（静止画）や新作紹介用の動画や音声のデータ等が格納されている。
【００４６】
同様に、コンテンツサーバー１２（２）〜１２（ｎ）も、それぞれレコード会社Ｒ（２）〜Ｒ（ｎ）側に設けられたサーバーであり、それぞれレコード会社Ｒ（２）〜Ｒ（ｎ）から現在リリースされている楽曲のデータとおまけコンテンツ（楽曲の歌詞のデータ及び広告用データ）が格納されている。
【００４７】
マイベスト作成サービスシステム１の運営主体と各レコード会社Ｒ（１）〜Ｒ（ｎ）との間には、マイベスト作成サービスシステム１側が要求するデータをレコード会社Ｒ（１）〜Ｒ（ｎ）側がこの専用回線１１経由で送信するとともに、マイベスト作成サービスシステム１側がレコード会社Ｒ（１）〜Ｒ（ｎ）側にコンテンツ使用料（送信した楽曲データの数に応じて増額され、他方、マイベストアルバムに記録した広告用データの数に応じて減額される料金）を支払うという契約が締結されている。
【００４８】
パブリッシャ４は、ＣＤ−Ｒへのデータの記録装置とＣＤ−Ｒのレーベルへのデザインの印刷装置とが一体となった装置である。図２は、このパブリッシャ４の構成例を示す。パブリッシャ４は、パブリッシャ本体３１と、このパブリッシャ本体３１を制御するパーソナルコンピュータ４１とで構成されている。
【００４９】
パブリッシャ本体３１は、多数枚（１００枚程度）のＣＤ−Ｒ３２を収納可能であり、ＣＤ−Ｒドライバ３３と、ＣＤ−Ｒのレーベルにインクジェット，サーマルまたはレーザー等の方式でフルカラーでデザインを印刷して印刷済みのレーベルをラミネートコーティングするためのプリンタ３４と、ＣＤ−Ｒの取出口３５と、ＣＤ−Ｒ３２を１枚ずつ保持してＣＤ−Ｒドライバ３３やプリンタ３４や取出口３５に搬送する自動搬送ユニット３６とを備えている。
【００５０】
なお、このパブリッシャ４のようなＣＤ−Ｒ／ＤＶＤ−Ｒ用の記録装置・印刷装置一体型の装置としては、例えば米国リマージュ社が製造している装置が存在している。
【００５１】
図３は、マイベスト作成サービスシステム１における処理の流れを示す。Ｗｅｂサーバー２が提供するＷｅｂページの前述の（ａ）〜（ｆ）の欄での選択・入力・送信結果を示す情報（注文データ）が、いずれかのユーザー端末２２（図１）からインターネット２１経由でＷｅｂサーバー２に受信されると（ステップＳ１）、この注文データ中のクレジットカード情報をインターネット２１経由でクレジット会社のサーバー２３（図１）に照会してこのサーバー２３から承認を受けることにより、料金の決済を行う（ステップＳ２）。そして、Ｗｅｂサーバー２でこの注文データを管理する（ステップＳ３）。
【００５２】
そして、前述の（ａ）の画曲選択欄での選択内容に応じたタイミングで（現在リリースされている楽曲が選択されている場合には直ちに、他方将来リリースされる楽曲の中から所定の条件で楽曲が選択されている場合には、毎月末，年末といったようなその条件に合った時期に）、Ｗｅｂサーバー２からコントロールＰＣ３にこの注文データ（ユーザー情報やクレジットカード情報は除く）を渡す。また、前述の（ｂ）のおまけコンテンツ選択欄で記録を承諾することが選択されている場合にはＷｅｂサーバー２内のおまけコンテンツ（当たり付きのくじや抽選番号のデータや楽曲以外のシリーズ化されたコンテンツ）もコントロールＰＣ３に渡し、前述の（ｄ）のデザイン選択欄でデザインが選択されている場合にはＷｅｂサーバー２内のデザインのデータのうちその選択されたデザインのデータもコントロールＰＣ３に渡す（ステップＳ４）。
【００５３】
コントロールＰＣ３は、この注文データに基づき、前述の（ａ）の楽曲選択欄で選択された各楽曲を、コンテンツサーバー１２（１）〜１２（ｎ）のうちそれぞれその楽曲をリリースしているレコード会社のコンテンツサーバーから専用回線１１経由でダウンロードする。また、前述の（ｂ）のおまけコンテンツ選択欄で記録を承諾することが選択されている場合には、楽曲をダウンロードするコンテンツサーバーから、おまけコンテンツ（楽曲の歌詞のデータ及びレコード会社の広告用データ）もダウンロードする（ステップＳ５）。
【００５４】
そして、ダウンロードした楽曲，Ｗｅｂサーバー２からのユーザー側記録データ、Ｗｅｂサーバー２からのデザインデータ（Ｗｅｂサーバー２にもともと格納されているデザインデータやユーザー側デザインデータ）をコントロールＰＣ３からパブリッシャ４に渡し、この楽曲やユーザー側記録データをＣＤ−Ｒに記録してこのデザインデータをＣＤ−Ｒのレーベルに印刷することをコントロールＰＣ３からパブリッシャ４（図２のコンピュータ４１）に指示する。また、コンテンツサーバー１２（１）〜１２（ｎ）からおまけコンテンツ（楽曲の歌詞のデータ及びレコード会社の広告用データ）をダウンロードしたりＷｅｂサーバー２からおまけコンテンツ（当たり付きのくじや抽選番号のデータや楽曲以外のシリーズ化されたコンテンツ）を渡された場合には、そのおまけコンテンツもパブリッシャ４に渡し、楽曲やユーザー側記録データを記録したＣＤ−Ｒの空き領域にそのおまけコンテンツを可能な限り記録することをコントロールＰＣ３からパブリッシャ４に指示する（ステップＳ６）。
【００５５】
パブリッシャ４では、コンピュータ４１の制御のもと、パブリッシャ本体（図２）が、収納しているＣＤ−Ｒ３２のうちの１枚のＣＤ−Ｒを自動搬送ユニット３６でＣＤ−Ｒドライブ３３に搬送して楽曲やユーザー側記録データを記録し（おまけコンテンツの記録が指示されている場合には空き領域におまけコンテンツも記録し）、続いてそのＣＤ−Ｒを自動搬送ユニット３６でプリンタ３４に搬送してデザインを印刷し、その後そのＣＤ−Ｒを自動搬送ユニット３６で取出口３５に搬送する（全ての楽曲を１枚のＣＤ−Ｒに記録しきれない場合には、この過程を複数枚のＣＤ−Ｒについて繰り返す）（ステップＳ７）。
【００５６】
このようにして、注文に応じたマイベストアルバムの作成が完了する。そして、この作成したマイベストアルバムを、ユーザーに（ユーザー情報の住所氏名宛に）郵便または宅配便で発送する。その際、紙を媒体とした広告（例えば、レコード会社Ｒ（１）〜Ｒ（ｎ）がリリースしている楽曲やリリース予定の楽曲のうち、マイベストアルバムに収録された楽曲とアーティストやジャンルが共通する楽曲の広告等）も、マイベストアルバムに同封して発送する（ステップＳ８）。
【００５７】
また、こうしたマイベストアルバムの作成・発送処理と並行して、Ｗｅｂサーバー２で管理している注文データに基づき、Ｗｅｂサーバー２から個々のユーザーに（ユーザー情報の電子メールアドレス宛に）、レコード会社Ｒ（１）〜Ｒ（ｎ）がリリースしている楽曲やリリース予定の楽曲のうち、そのユーザーの注文履歴からみてそのユーザーが興味のありそうなアーティストやジャンルの楽曲の情報等を電子メールで送信する（ステップＳ９）。
【００５８】
次に、このマイベスト作成サービスシステム１を利用するユーザー（個人）の側からみた、マイベストアルバムの注文から入手までの流れについて説明する。図４はこのユーザー側からみた流れを示しており、最初に、パーソナルコンピュータ等の端末のブラウザで、マイベスト作成サービスシステム１のサイトにアクセスする（Ｗｅｂサーバー２の提供するＷｅｂページを表示する）（ステップＳ１１）。
【００５９】
そして、前述の（ａ）の楽曲選択欄を開いて、マイベストアルバムに収録したい１または複数の楽曲を選択する（ステップＳ１２）。また、前述の（ｂ）のおまけコンテンツ選択欄を開いておまけコンテンツの記録の諾否を選択し（ステップＳ１３）、前述の（ｃ）のユーザー側記録データ選択欄を開いてユーザー側記録データの送信の有無を選択する（ステップＳ１４）。例えば、自分の音声メッセージや楽曲毎に自分でイメージする静止画があり、それらをマイベストアルバムに記録したい場合には、記録データ選択欄では送信することを選択する。
【００６０】
また、前述の（ｄ）のデザイン選択欄を開いてデザインを選択するか、またはそれに代えて（あるいはそれに加えて）、前述の（ｅ）のユーザー側デザイン選択欄を開いてユーザー側デザインを送信することを選択する（ステップＳ１５）。
【００６１】
そして最後に、前述の（ｆ）の注文欄を開き、ユーザー情報及びクレジットカード情報を入力して注文を確定し、また、ユーザー側記録データやユーザー側デザインデータを送信することを選択した場合にはそれらのデータを電子メールで送信する（ステップＳ１６）。
【００６２】
こうして注文を行うと、何日か後に、その注文に応じて作成されたマイベストアルバム５１が、マイベスト作成サービスシステム１側から郵便または宅配便でユーザー宅に配達される。
【００６３】
このように、ユーザーの側からみると、パーソナルコンピュータ等の端末のブラウザでマイベスト作成サービスシステム１のＷｅｂページを閲覧し、複数のレコード会社Ｒ（１）〜Ｒ（ｎ）からリリースされている楽曲の中からマイベストアルバムに収録したいと考える楽曲をそのＷｅｂページで選択するとともに自分が気に入ったデザインをそのＷｅｂページで選択すると、その楽曲が収録されるとともにそのデザインが付されたマイベストアルバムを作成・配達してもらえる。
【００６４】
その際、ユーザーの端末では楽曲そのものはダウンロードしないので、音楽配信サイトから楽曲そのものを１つ１つ購入確認してダウンロードする場合と異なり、操作に手間がかからないとともに、回線の通信速度にかかわらずすぐに通信が完了する。
【００６５】
また、複数のレコード会社Ｒ（１）〜Ｒ（ｎ）からリリースされている楽曲を収録したい場合にも、このマイベスト作成サービスシステム１のサイトにだけアクセスすれば足り、それらのレコード会社毎のサイトにアクセスする必要はない。
【００６６】
これにより、ユーザーが、多数の楽曲のうち好きな楽曲だけを収録したマイベストアルバムであってデザイン面でも満足のいくものを、手間をかけることなく入手できるようになっている。
【００６７】
そして、いままでマイベストアルバムの作成をあきらめていた人がこのマイベスト作成サービスシステム１を利用してマイベストアルバムを入手することにより、レコード会社Ｒ（１）〜Ｒ（ｎ）側も、リリースする楽曲の利用が促進されるので、収益を伸ばすことができるようになる。
【００６８】
また、ユーザーは、将来リリースされる楽曲のうちの自分が欲しいと考える楽曲を収録したマイベストアルバムを、予約して入手することもできるようになっている。
【００６９】
また、マイベストアルバムに、ユーザーが選択した楽曲以外のおまけコンテンツを再生するためのメディアとしての役割も持たせることもできるようになっている。
【００７０】
このおまけコンテンツにはレコード会社Ｒ（１）〜Ｒ（ｎ）の広告用データが含まれているので、マイベストアルバムに、レコード会社Ｒ（１）〜Ｒ（ｎ）が広告を行うためのメディアとしての役割を持たせることができるようになっている。
【００７１】
また、このおまけコンテンツには当たり付きのくじ・抽選番号のデータや楽曲以外のシリーズ化されたコンテンツも含まれているので、マイベストアルバムに、当たり付きのくじ・抽選番号札としての役割や、コレクションの対象としての役割を持たせることができるようになっている。したがって、ユーザーに、マイベストアルバムの入手意欲（マイベスト作成サービスシステム１の利用意欲）を一層高めさせることができるようになっている。
【００７２】
また、楽曲だけでなくユーザー側で用意した音声や静止画を収録したマイベストアルバムも作成されるので、ユーザーが、内容面で一層オリジナリティの高いオリジナルメディアソフトを入手できるようになっている。
【００７３】
また、マイベスト作成サービスシステム１側ではなくユーザー側で用意したデザインが付されたマイベストアルバムも作成されるので、ユーザーが、デザイン面で一層オリジナリティの高いオリジナルメディアソフトを入手できるようになっている。
【００７４】
また、マイベストアルバムを配達する際に、そのマイベストアルバムに収録された楽曲とアーティストやジャンルが共通する楽曲等の紙媒体の広告をマイベストアルバムに同封して配達するので、単に広告だけを配達する場合よりも広告に対するユーザーの関心を高めて、ユーザーに、レコード会社Ｒ（１）〜Ｒ（ｎ）がリリースする楽曲の購入意欲やその楽曲を収録したマイベストアルバムの入手意欲（マイベスト作成サービスシステム１の利用意欲）を高めさせることができるようになっている。
【００７５】
また、ユーザーの注文履歴からみてそのユーザーが興味のありそうな楽曲の情報等を電子メールで送信するので、この点でも、ユーザーに、レコード会社Ｒ（１）〜Ｒ（ｎ）がリリースする楽曲の購入意欲やその楽曲を収録したマイベストアルバムの入手意欲を高めさせることができるようになっている。
【００７６】
なお、以上の例ではＣＤ−Ｒを記録メディアとしてマイベストアルバムを作成しているが、これに限らず、例えばＤＶＤ−Ｒやブルーレーザーディスクを記録メディアにしてもよい。それにより、さらに大容量・高画質な映像付きのマイベストアルバムを作成することができる（例えば、好きなアーティストのプロモーションビデオ集や、好きな俳優が出演しているテレビコマーシャルの映像集等）。あるいはまた、画像を記録しないのであればＭＤやカセットテープを記録メディアにしてもよい。
【００７７】
さらには、これらの複数種類の記録メディアの中からユーザーが記録メディアの種類を選択することができるようにしたり、その記録メディアに記録するデータの圧縮方式をユーザーが選択することができるようにしてもよい。
【００７８】
また、以上では、Ｗｅｂサーバー２とコントロールＰＣ３とを別々のコンピュータとして設けているが、この両者の機能を併有した１台のコンピュータを設けるようにしてもよい。
【００７９】
また、以上では、ユーザーの注文に応じてマイベストアルバム（楽曲を収録したオリジナルメディアソフト）を作成する例について説明したが、本発明は、以下に〔別の適用例１〕〜〔別の適用例３〕として挙げるように、ユーザーの注文に応じて楽曲以外のコンテンツを収録したオリジナルメディアソフトを作成するためにも適用してもよい。
【００８０】
〔別の適用例１〕
複数のテレビ放送会社が製作した番組の中から番組を選択させるとともにデザインを選択させるためのＷｅｂページを提供し、ユーザーがこのＷｅｂページで選択した１または複数の番組を、それぞれその番組を製作したテレビ放送会社側のサーバーからダウンロードして記録メディアに記録するとともに、ユーザーがこのＷｅｂページで選択したデザインをその記録メディアに印刷する（いわば‘マイベスト番組’）。
【００８１】
〔別の適用例２〕
複数の教材販売会社が販売している教材（例えばＣＤやカセットテープに収録された語学学習用の教材）の中から教材を選択させるとともにデザインを選択させるためのＷｅｂページを提供し、ユーザーがこのＷｅｂページで選択した１または複数の教材を、それぞれその教材を販売している教科書販売会社側のサーバーからダウンロードして記録メディアに記録するとともに、ユーザーがこのＷｅｂページで選択したデザインをその記録メディアに印刷する（いわば‘マイベスト教材’）。
【００８２】
〔別の適用例３〕
複数の高校や大学の中から入学案内を取り寄せたい高校や大学を選択させるとともにデザインを選択させるためのＷｅｂページを提供し、ユーザーがこのＷｅｂページで選択した１または複数の高校や大学の入学案内（電子的データ）を、それぞれその高校や大学側のサーバーからダウンロードして記録メディアに記録するとともに、ユーザーがこのＷｅｂページで選択したデザインをその記録メディアに印刷する（いわば‘マイベスト志望校’。
【００８３】
また、本発明は、以上の例に限らず、本発明の要旨を逸脱することなく、その他様々の構成をとりうることはもちろんである。
【００８４】
【発明の効果】
以上のように、本発明によれば、ユーザー（個人）が、多数のコンテンツの中から自分が欲しいと考えるコンテンツだけを収録したオリジナルメディアソフトであってデザイン面でも満足のいくものを、手間をかけることなく入手できるという効果が得られる。
【００８５】
また、いままでオリジナルメディアソフトの作成をあきらめていた人がオリジナルメディアソフトを入手することにより、コンテンツの提供主体側も、提供するコンテンツの利用が促進されるので、収益を直接的あるいは間接的に伸ばすことができるという効果も得られる。
【００８６】
また、ユーザーが、将来提供されるコンテンツのうちの自分が欲しいと考えるコンテンツを収録したオリジナルメディアソフトを、予約して入手することができるという効果も得られる。
【００８７】
また、オリジナルメディアソフトに、ユーザーが選択したコンテンツ以外の所定のデータを再生するためのメディアとしての役割も持たせることができるという効果も得られる。
【００８８】
そして、この所定のデータに、コンテンツを提供する主体側のサーバーからダウンロードした広告用のデータを含めることにより、オリジナルメディアソフトに、コンテンツの提供主体が広告を行うためのメディアとしての役割を持たせることができるという効果も得られる。
【００８９】
あるいはまた、この所定のデータには、当たり付きのくじ及び／または抽選番号のデータを含めることにより、ユーザーに、オリジナルメディアソフトの入手意欲を一層高めさせることができるという効果も得られる。
【００９０】
また、コンテンツだけでなくユーザー側で用意した音声や静止画も収録したオリジナルメディアソフトが作成されるので、ユーザーが、内容面で一層オリジナリティの高いオリジナルメディアソフトを入手できるという効果も得られる。
【００９１】
また、ユーザー側で用意したデザインが付されたオリジナルメディアソフトも作成されるので、ユーザーが、デザイン面で一層オリジナリティの高いオリジナルメディアソフトを入手できるという効果も得られる。
【図面の簡単な説明】
【図１】本発明を適用したマイベスト作成サービスシステムの全体構成を示す図である。
【図２】図１のパブリッシャの構成例を示す図である。
【図３】図１のマイベスト作成サービスシステムにおける処理の流れを示す図である。
【図４】ユーザー側からみた、マイベストアルバムの注文から入手までの流れを示す図である。
【符号の説明】
１　マイベスト作成サービスシステム、　２　Ｗｅｂサーバー、　３　コントロールＰＣ、　４　パブリッシャ、　１１　専用回線、　１２（１）〜１２（ｎ）　レコード会社側のコンテンツサーバー、　２１　インターネット、　２２　ユーザー端末、　２３　クレジット会社側のサーバー、　３１　パブリッシャ本体、　４１　コンピュータ
【図１】
2004109501.tif 000003
【図２】
2004109501.tif 000004
【図３】
2004109501.tif 000005
【図４】
2004109501.tif 000006